(57)【要約】【課題】  電子シャッターによる撮影でもユーザにとって違和感の少ない電子シャッター音を出力できるようにする。【解決手段】  撮像装置は撮像部（１０２）と、スピーカー（１１６）と制御部（１０１）と、を有する。制御部は撮像を開始したことに応じてスピーカーによって先幕音を出力する。１回の撮像を開始してから終了するまでの時間である第一の時間が先幕音の出力時間以上である場合、制御部はスピーカーによって、先幕音の出力開始から第一の時間が経過した後に後幕音を出力する。第一の時間が先幕音の出力時間未満である場合、制御部はスピーカーによって、先幕音を出力し終えた後に後幕音を出力する。【選択図】  図５
2020088757.tif 000002
【特許請求の範囲】
【請求項１】
撮像手段と、
音を出力する出力手段と
制御手段と、を有し、
前記制御手段は、撮像を開始するタイミングに応じて第一の音を出力するよう前記出力手段を制御し、
前記制御手段は、１回の撮像を開始してから終了するまでの時間である第一の時間が、前記第一の音の出力時間以上である場合、前記第一の音の出力の開始から前記第一の時間が経過した後に、第二の音を出力するよう前記出力手段を制御し、
前記制御手段は、前記第一の時間が前記第一の音の出力時間未満である場合、前記第一の音を出力し終えた後に前記第二の音を出力するよう前記出力手段を制御する
ことを特徴とする撮像装置。
【請求項２】
前記撮像に関する設定に基づいて繰り返し撮像するように前記制御手段が前記撮像手段を制御する処理において、
前記撮像に関する設定に設定されている繰り返し撮像する間隔が、前記第一の時間と前記第二の音の出力時間との和および前記第一の音の出力時間と前記第二の音の出力時間との和以上である場合、前記制御手段は撮像を開始するタイミングに応じて前記第一の音を出力するよう前記出力手段を制御し、
前記間隔が、前記第一の時間と前記第二の音の出力時間との和または前記第一の音の出力時間と前記第二の音の出力時間との和より小さい場合、前記制御手段は前記第二の音を出力し終えた後に前記第一の音を出力するよう前記出力手段を制御する
ことを特徴とする請求項１に記載の撮像装置。
【請求項３】
前記制御手段は、前記第一の時間に対する前記第一の音を出力する時間間隔の比率が一定となるよう前記出力手段を制御することを特徴とする請求項２に記載の撮像装置。
【請求項４】
前記撮像手段が繰り返し撮像している間に、前記撮像に関する設定に設定されている繰り返し撮像する間隔を長くすると前記制御手段が判定した場合、前記制御手段は前記出力手段が前記第一の音を出力する時間間隔を大きくするよう制御する
ことを特徴とする請求項３に記載の撮像装置。
【請求項５】
前記制御手段は、前記出力手段による前記第二の音の出力が終了した後に遅延時間を挿入することで、前記出力手段が前記第一の音を出力する時間間隔を大きくするよう制御することを特徴とする請求項３または４に記載の撮像装置。
【請求項６】
さらに表示部を有し、
前記比率に関する値を前記制御手段は前記表示部に表示する
ことを特徴とする請求項３から５のいずれか１項に記載の撮像装置。
【請求項７】
前記制御手段は、ユーザ操作を受け付けることにより前記比率の値を設定することを特徴とする請求項３から６のいずれか１項に記載の撮像装置。
【請求項８】
前記間隔が、前記第一の時間と前記第二の音の出力時間との和または前記第一の音の出力時間と前記第二の音の出力時間との和より小さい場合、前記制御手段は前記第二の音を出力し終えた後に前記第一の音を出力するよう前記出力手段を制御する
ことを特徴とする請求項２から７のいずれか１項に記載の撮像装置。
【請求項９】
前記撮像に関する設定に基づいて繰り返し撮像するよう前記制御手段が前記撮像手段を制御する処理が終了したタイミングにおいて、前記出力手段によって最後に出力した音が前記第一の音の場合、前記制御手段は前記処理が終了した後に前記第二の音を出力するよう前記出力手段を制御する
ことを特徴とする請求項２から８のいずれか１項に記載の撮像装置。
【請求項１０】
前記撮像に関する設定はシャッター速度、および連続撮影における単位時間当たりの撮影枚数の設定を含み、前記間隔は前記単位時間当たりの撮影枚数の逆数であることを特徴とする請求項２から９のいずれか１項に記載の撮像装置。
【請求項１１】
前記第一の時間は露光時間であり、
前記第一の音はメカニカルシャッターの先幕が開く音に似せた擬音であり、前記第二の音はメカニカルシャッターの後幕が閉じる音に似せた擬音である
ことを特徴とする請求項１から１０のいずれか１項に記載の撮像装置。
【請求項１２】
撮像手段と、
音を出力する出力手段と
制御手段と、を有し、
前記制御手段は、撮像を開始するタイミングに応じて第一の音を出力するよう前記出力手段を制御し、
前記制御手段は、前記出力手段が前記第一の音を出力し終えた後に１回の撮像が終了する場合、撮像が終了するタイミングに応じて、第二の音を出力するよう前記出力手段を制御し、
前記制御手段は、前記出力手段が前記第一の音を出力し終える前に１回の撮像が終了する場合は、撮像が終了するタイミングに応じるのではなく前記第一の音を出力し終えた後に前記第二の音を出力するよう前記出力手段を制御する
ことを特徴とする撮像装置。
【請求項１３】
前記撮像に関する設定に基づいて繰り返し撮像するように前記制御手段が前記撮像手段を制御する処理において、
前記制御手段は、前記出力手段が前記第二の音を出力し終えた後に前記撮像手段が次の撮像を開始する場合、撮像を開始するタイミングに応じて前記第一の音を出力するよう前記出力手段を制御し、
前記制御手段は、前記出力手段が前記第二の音を出力し終える前に前記撮像手段が次の撮像を開始する場合、撮像を開始するタイミングに応じるのではなく前記第二の音を出力し終えた後に前記第一の音を出力するよう前記出力手段を制御する
ことを特徴とする請求項１２に記載の撮像装置。
【請求項１４】
撮像手段と、
音を出力する出力手段と、を有する撮像装置の制御方法であって、
撮像を開始するタイミングに応じて第一の音を出力するよう前記出力手段を制御するステップと、
１回の撮像を開始してから終了するまでの時間である第一の時間が、前記第一の音の出力時間以上である場合、前記第一の音の出力の開始から前記第一の時間が経過した後に、第二の音を出力するよう前記出力手段を制御するステップと、
前記第一の時間が前記第一の音の出力時間未満である場合、前記第一の音を出力し終えるタイミングに応じて前記第二の音を出力するよう前記出力手段を制御するステップと、
を有することを特徴とする制御方法。
【請求項１５】
コンピュータを請求項１から１３のいずれか１項に記載の撮像装置の各手段として機能させるための、コンピュータが読み取り可能なプログラム。
【発明の詳細な説明】
【技術分野】
【０００１】
本発明は、音を出力可能な撮像装置に関する。
【背景技術】
【０００２】
近年、デジタルカメラはメカニカルシャッターを利用しない、いわゆる電子シャッターによる撮影ができる。電子シャッターによる撮影では、メカニカルシャッターよりも速いシャッター速度や連続撮影における単位時間当たりの撮影枚数（以下、コマ速という）の多さを実現できる。また、デジタルカメラは電子シャッターによる撮影において、メカニカルシャッターの先幕および後幕に相当する動作に合わせて、それぞれシャッター音を出力できる。特許文献１では、電子シャッターによる撮影において、撮影動作の開始と終了に合わせてそれぞれシャッター音を出力するデジタルカメラが開示されている。
【先行技術文献】
【特許文献】
【０００３】
【特許文献１】特開２００９−４４５０６号公報
【発明の概要】
【発明が解決しようとする課題】
【０００４】
しかし、電子シャッターによる撮影において、シャッター速度を速くしていくと、先幕に相当するシャッター音を出力中に後幕に相当するシャッター音を出力してしまい、ユーザにとって違和感のあるシャッター音が出力されてしまうおそれがあった。
【０００５】
そこで本発明は、電子シャッターによる撮影でもユーザにとって違和感の少ないシャッター音を出力することを目的とする。
【課題を解決するための手段】
【０００６】
上記課題を解決するために、本発明の撮影装置は、撮像手段と、音を出力する出力手段と制御手段と、を有し、前記制御手段は、撮像を開始するタイミングに応じて第一の音を出力するよう前記出力手段を制御し、前記制御手段は、１回の撮像を開始してから終了するまでの時間である第一の時間が、前記第一の音の出力時間以上である場合、前記第一の音の出力の開始から前記第一の時間が経過した後に、第二の音を出力するよう前記出力手段を制御し、前記制御手段は、前記第一の時間が前記第一の音の出力時間未満である場合、前記第一の音を出力し終えた後に前記第二の音を出力するよう前記出力手段を制御することを特徴とする。
【０００７】
また、上記課題を解決するために、本発明の撮影装置は、撮像手段と、音を出力する出力手段と制御手段と、を有し、前記制御手段は、撮像を開始するタイミングに応じて第一の音を出力するよう前記出力手段を制御し、前記制御手段は、前記出力手段が前記第一の音を出力し終えた後に１回の撮像が終了する場合、撮像が終了するタイミングに応じて、第二の音を出力するよう前記出力手段を制御前記制御手段は、前記出力手段が前記第一の音を出力し終える前に１回の撮像が終了する場合は、撮像が終了するタイミングに応じるのではなく前記第一の音を出力し終えた後に前記第二の音を出力するよう前記出力手段を制御することを特徴とする。
【発明の効果】
【０００８】
本発明によれば、電子シャッターによる撮影でもユーザにとって違和感の少ないシャッター音を出力することができる。
【図面の簡単な説明】
【０００９】
【図１】第一の実施形態におけるデジタルカメラの構成例を示すブロック図である。
【図２】第一の実施形態における電子シャッターによる連続撮影において、パターン１の場合における撮像素子の露光面積およびシャッター音と時間との関係の一例を示す図である。
【図３】第一の実施形態におけるデジタルカメラの動作の場合と条件式の関係を示す図である。
【図４】（Ａ）第一の実施形態における電子シャッターによる連続撮影において、パターン２の場合における撮像素子の露光面積およびシャッター音と時間との関係の一例を示す図である。（Ｂ）第一の実施形態における電子シャッターによる連続撮影において、パターン２の場合におけるシャッター音の出力方法の一例を示す図である。
【図５】（Ａ）第一の実施形態における電子シャッターによる連続撮影において、パターン３の場合における撮像素子の露光面積およびシャッター音と時間との関係の一例を示す図である。（Ｂ）第一の実施形態における電子シャッターによる連続撮影において、パターン３の場合におけるシャッター音の出力方法の一例を示す図である。
【図６】（Ａ）第一の実施形態における電子シャッターによる連続撮影において、パターン４の場合における撮像素子の露光面積およびシャッター音と時間との関係の一例を示す図である。（Ｂ）第一の実施形態における電子シャッターによる連続撮影において、パターン４の場合におけるシャッター音の出力方法の一例を示す図である。
【図７】（Ａ）第一の実施形態における電子シャッターによる連続撮影において、後幕音の後に遅延時間を設定した場合における撮像素子の露光面積およびシャッター音と時間との関係の一例を示す図である。（Ｂ）第一の実施形態において間隔比を整数にした場合における撮像素子の露光面積およびシャッター音と時間との関係の一例を示す図である。
【図８】第一の実施形態におけるデジタルカメラの動作の一例を示すフローチャートである。
【図９】第一の実施形態における電子シャッターによる連続撮影における間隔比が１より大きい場合におけるデジタルカメラの表示部の表示例である。
【発明を実施するための形態】
【００１０】
以下、本発明の好ましい実施の形態を添付の図面に基づいて詳細に説明する。
【００１１】
＜第一の実施形態＞
図１は本実施形態の撮像装置の一例であるデジタルカメラ１００の構成例を示すブロック図である。なお、ここでは撮像装置の一例としてデジタルカメラについて述べるが、撮像装置はこれに限られない。例えば撮像装置はスマートフォンや、タブレット端末等の撮像素子を有する装置であればよい。
【００１２】
制御部１０１は、入力された信号や、後述のプログラムに従ってデジタルカメラ１００の各部を制御する。なお、制御部１０１が装置全体を制御する代わりに、複数のハードウェアが処理を分担することで、装置全体を制御してもよい。
【００１３】
撮像部１０２は、例えば、光学レンズユニットと絞り・ズーム・フォーカスなど制御する光学系と、光学レンズユニットを経て導入された光（映像）を電気的な映像信号に変換するための撮像素子などで構成される。撮像素子は、一般的に、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）が用いられる。撮像部１０２は、制御部１０１に制御されることにより、撮像部１０２に含まれるレンズで結像された被写体光を、撮像素子により電気信号に変換し、ノイズ低減処理などを行いデジタルデータを画像データとして出力する。本実施形態では、当該画像データを撮像し出力するための一連の処理を「撮影」という。また、本実施形態における電子シャッターによる撮影は、ローリングシャッター方式を採用する。本実施形態のデジタルカメラ１００では、画像データは、ＤＣＦ（Ｄｅｓｉｇｎ  Ｒｕｌｅ  ｆｏｒ  Ｃａｍｅｒａ  Ｆｉｌｅ  ｓｙｓｔｅｍ）の規格に従って、後述する記録媒体１１０に記録される。
【００１４】
不揮発性メモリ１０３は、電気的に消去・記録可能な不揮発性のメモリであり、制御部１０１で実行される後述のプログラム等が格納される。また、不揮発性メモリ１０３には、後述するシャッター音が記録されている。このシャッター音は、ＰＣＭ形式、ＭＰ３形式等で記録されている。
【００１５】
作業用メモリ１０４は、撮像部１０２で撮像された画像データを一時的に保持するバッファメモリや、表示部１０６の画像表示用メモリ、制御部１０１の作業領域等として使用される。作業用メモリ１０４は所定枚数の静止画像や所定時間の動画像を格納するのに十分な記録容量を有する。これにより、デジタルカメラ１００は複数枚の静止画像を連続して撮影する連写撮影やパノラマ撮影が可能になる。
【００１６】
操作部１０５は、デジタルカメラ１００に対する指示をユーザから受け付けるためのユーザインタフェースである。操作部１０５は、例えばユーザがデジタルカメラ１００の電源のオン／オフを指示するための電源ボタンや、撮影を指示するためのレリーズスイッチ、画像データの再生を指示するための再生ボタン等を含むことができる。また、表示部１０６に形成されるタッチパネルも操作部１０５に含めることができる。ユーザは操作部１０５を操作することで、シャッター速度やコマ速等の撮像に関する設定を変更することができる。なお、レリーズスイッチは、ＳＷ１およびＳＷ２を有する。レリーズスイッチが、いわゆる半押し状態となることにより、ＳＷ１がオンとなる。これにより、ＡＦ（オートフォーカス）処理、ＡＥ（自動露出）処理、ＡＷＢ（オートホワイトバランス）処理、ＥＦ（フラッシュプリ発光）処理等の撮像の準備動作を行うための準備指示を受け付ける。また、レリーズスイッチが、いわゆる全押し状態となることにより、ＳＷ２がオンとなる。このようなユーザ操作により、撮像動作を行うための撮像指示を受け付ける。さらに、連続撮影モードの場合、ユーザ操作によりＳＷ２を長押しされている間、デジタルカメラ１００は静止画像をなるべく所定の時間間隔で繰り返し連続して撮影する。この連続撮影は、いわゆる連写撮影である。
【００１７】
表示部１０６は、撮影の際のビューファインダー画像の表示、撮影した画像データの表示、対話的な操作のための文字表示などを行う。表示部１０６は必ずしもデジタルカメラ１００に内蔵されていなくてもよく、デジタルカメラ１００に外部接続される構成であってもよい。デジタルカメラ１００は内部または外部の表示部１０６と接続することができ、表示部１０６の表示を制御する表示制御機能を少なくとも有していればよい。
【００１８】
記録媒体１１０は、デジタルカメラ１００に着脱可能なよう構成してもよいし、デジタルカメラ１００に内蔵されていてもよい。デジタルカメラ１００は少なくとも記録媒体１１０にアクセスする手段を有していればよい。
【００１９】
通信部１１１は、外部装置と接続するためのインターフェースである。本実施形態のデジタルカメラ１００は、通信部１１１を介して、外部装置とデータのやりとりを行うことができる。例えば、撮像部１０２で生成した画像データを、通信部１１１を介して外部装置に送信することができる。なお、本実施形態では、通信部１１１は外部装置とＩＥＥＥ８０２．１１の規格に従って、いわゆる無線ＬＡＮで通信するためのインターフェースを含む。制御部１０１は、通信部１１１を制御することで外部装置との無線通信を実現する。なお、通信方式は無線ＬＡＮに限定されるものではなく、例えば赤外通信方式も含む。
【００２０】
電源部１１２は制御部１０１に制御されることでデジタルカメラ１００の各要素に電力を供給することができる。電源部１１２は例えば、リチウムイオン電池やバッテリ等である。
【００２１】
マイク１１５はユーザの音声や周囲の音等を集音する。制御部１０１はマイク１１５によって集音した音を解析することでその集音した音に応じた処理を実行することができる。これを本実施形態では音声アシスタント機能という。一般的に音声アシスタント機能を有する機器は、集音した音に含まれる所定の単語（いわゆるウェイクワード）を認識してから、そのウェイクワードに続く音を解析する。本実施形態においてデジタルカメラ１００は、通信部１１１を介して接続したサーバへ集音した音を送信し、サーバを利用して音の内容を解析する。本実施形態のデジタルカメラ１００は、ウェイクワードを機器内で認識し、そのウェイクワードに続く音をサーバを利用して内容を解析する。
【００２２】
スピーカー１１６は、シャッター音や警告音等の音を出力することができる。本実施形態において、制御部１０１はスピーカー１１６によってシャッター音や警告音等を出力する。本実施形態においてシャッター音は、電子シャッターによる撮影において、撮像の開始と終了を報知するために出力する音である。本実施形態において、撮像の開始を示すシャッター音が第一の音、撮像の終了を示すシャッター音が第二の音である。本実施形態においてそれぞれのシャッター音はメカニカルシャッターの先幕が開く音および後幕が閉じる音に似せた擬音である。以下、先幕が開く音に似せた擬音を先幕音、後幕が閉じる音に似せた擬音を後幕音という。また、シャッター音はユーザが撮像の開始と終了を認識することができれば、メカニカルシャッターの実際の音とは音色や長さ等が大きく異なっていてもよい。また、スピーカー１１６はヘッドホンやイヤホン等の外部の音声出力装置へ接続するためのインターフェースでもよい。例えばスピーカー１１６はイヤホンジャック等の有線接続するための端子や、Ｂｌｕｅｔｏｏｔｈ（登録商標）等で無線通信するためのインターフェースでもよい。この場合、ユーザはスピーカー１１６を介してイヤホンやヘッドホン等に出力されたシャッター音や警告音等を聞くことになる。
【００２３】
図２は電子シャッターによる連続撮影において、撮像部１０２の撮像素子の露光面積およびシャッター音と時間との関係の一例を示す図である。また、図２において、デジタルカメラ１００のシャッター速度およびコマ速はメカニカルシャッターと同程度の速さである。
【００２４】
時刻Ｔｅ１は露光を開始する動作である撮像素子における電荷の蓄積を開始する時刻を示す。時刻Ｔｅ２は露光を終了する動作である撮像素子における電荷の読み出しを開始する時刻を示す。時刻Ｔａ１は制御部１０１が先幕音の出力を開始する時刻である。時刻Ｔｂ１は制御部１０１が後幕音の出力を開始する時刻である。
【００２５】
以下、電荷の蓄積を開始することを露光開始、電荷の読み出しを開始することを露光終了という。また、ある露光開始から次の露光開始までの時間を露光間隔ΔＴ１（＝時刻Ｔｅ３−時刻Ｔｅ１）、露光開始から露光終了までの時間を露光時間ΔＴ２（＝時刻Ｔｅ２−時刻Ｔｅ１）とする。さらに、先幕音を出力する時間間隔をΔＴ３（＝時刻Ｔａ３−時刻Ｔａ１）、先幕音を出力開始してから後幕音を出力するまでの時間をΔＴ４（＝時刻Ｔｂ１−時刻Ｔａ１）とする。図２に示すように、露光時間ΔＴ２は先幕音の出力時間ΔＴａ（＝時刻Ｔａ２−時刻Ｔａ１）以上の長さとする。さらに、露光間隔ΔＴ１は露光時間ΔＴ２と後幕音の出力時間ΔＴｂ（＝時刻Ｔｂ２−時刻Ｔｂ１）の和以上の長さとする。言い換えると、この場合、露光時間は先幕音の出力時間以上である。
【００２６】
ここで、時刻Ｔａ１は時刻Ｔｅ１以降である。また時刻Ｔａ１は時刻Ｔｅ１となるべく同じ時刻であることが望ましい。撮像を開始したタイミングで先幕音が出力されることにより、ユーザは撮像を開始したことを認識しやすくなるからである。時刻Ｔｂ１は時刻Ｔａ２以降である。また時刻Ｔｂ１は、時刻Ｔａ１から露光時間ΔＴ２が経過した時刻が望ましい。この場合、先幕音を出力開始してから後幕音を出力するまでの時間ΔＴ４は露光時間ΔＴ２と等しくなる。後幕音が撮像を終了したタイミングまたはシャッター速度に合うように出力されることにより、ユーザは設定通りのシャッター速度で撮像を終了したことを認識しやすくなるからである。なお、２回目以降の撮像においても同様の処理で、先幕音および後幕音は出力される。この場合、先幕音を出力する時間間隔ΔＴ３は露光間隔ΔＴ１と等しくなる。
【００２７】
このように、メカニカルシャッターと同程度のシャッター速度およびコマ速の場合、電子シャッターによる撮影でもメカニカルシャッターと同様のタイミングにおいて先幕音および後幕音を出力することができる。そのためユーザは電子シャッターによる撮影でもメカニカルシャッターと同じようにシャッター音を聞くことができる。
【００２８】
ここで図３に示すように、露光間隔ΔＴ１、露光時間ΔＴ２、先幕音の出力時間ΔＴａ、後幕音の出力時間ΔＴｂの関係からデジタルカメラ１００の動作をいくつかの場合に分けることができる。
【００２９】
図３に示したように、条件式１〜３によってデジタルカメラ１００の動作を４つの場合に分けることができる。条件式１は露光時間ΔＴ２と先幕音の出力時間ΔＴａとの大小関係を表す式である。条件式２は露光間隔ΔＴ１と、露光時間ΔＴ２および後幕音の出力時間ΔＴｂの和と、の大小関係を表す式である。条件式３は露光間隔ΔＴ１と、先幕音の出力時間ΔＴａおよび後幕音の出力時間ΔＴｂの和と、の大小関係を表す式である。ここで、パターン１は図２において説明した場合に相当する。なお、このパターン１はメカニカルシャッターでは不可能なシャッター速度やコマ速で撮影する場合を含むが、その場合であってもデジタルカメラ１００は図２における説明と同様の処理を実行すればよい。
【００３０】
図４（Ａ）、（Ｂ）は、デジタルカメラ１００の電子シャッターによる連続撮影において、図３のパターン２における、撮像部１０２の撮像素子の露光面積およびシャッター音と時間との関係の一例を示す図である。パターン１の場合と同様に時刻Ｔａ１から露光時間ΔＴ２が経過した時刻に後幕音を出力する場合、図４（Ａ）に示すように、先幕音の出力中に後幕音の出力が開始されるため、ユーザにとって違和感のあるシャッター音となってしまう。言い換えると、この場合、露光時間は先幕音の出力時間未満である。
【００３１】
そこでパターン２の場合、図４（Ｂ）に示すように、デジタルカメラ１００は後幕音を時刻Ｔａ２以降に出力する。ここで時刻Ｔｂ１は時刻Ｔａ２となるべく同じ時刻であることが望ましい。時刻Ｔｂ１が時刻Ｔａ２と同じ時刻の場合、先幕音を出力開始してから後幕音を出力するまでの時間ΔＴ４は先幕音の出力時間ΔＴａと等しくなる。これは先幕音を出力開始してから後幕音を出力するまでの時間ΔＴ４をできる限り露光時間ΔＴ２に近づけるためである。この場合、先幕音を出力開始してから後幕音を出力するまでの時間ΔＴ４は露光時間ΔＴ２より長くなる。なお、先幕音を出力する時間間隔ΔＴ３は露光間隔ΔＴ１と等しい。露光間隔ΔＴ１は先幕音の出力時間ΔＴａおよび後幕音の出力時間ΔＴｂの和以上のため、時刻Ｔａ３は時刻Ｔｂ２以降である。言い換えると、この後幕音の出力中に次の撮像の先幕音が出力されることはない。
【００３２】
このように、パターン２の場合、図４（Ｂ）に示すようにデジタルカメラ１００が動作することで、ユーザにとって違和感の少ない撮影を実現できる。また先幕音を出力開始してから後幕音を出力するまでの時間をできる限りシャッター速度に近づけることができる。
【００３３】
図５（Ａ）、（Ｂ）は電子シャッターによる連続撮影において、図３のパターン３における、撮像部１０２の撮像素子の露光面積およびシャッター音と時間との関係の一例を示す図である。パターン１の場合と同様に時刻Ｔａ１から露光時間ΔＴ２が経過した時刻に後幕音を出力する場合、図５（Ａ）に示すように、後幕音の出力中に先幕音の出力が開始されるため、ユーザにとって違和感のあるシャッター音となってしまう。
【００３４】
そこでパターン３の場合、図５（Ｂ）に示すようにデジタルカメラ１００は先幕音を前の後幕音の出力が終了した後に出力する。この場合、時刻Ｔａ３は時刻Ｔｂ２以降になる。言い換えると、先幕音を出力する時間間隔ΔＴ３は露光間隔ΔＴ１より長くなる。なお先幕音を出力開始してから後幕音を出力するまでの時間ΔＴ４は露光時間ΔＴ２と等しいことが望ましい。
【００３５】
ここで露光間隔ΔＴ１よりも露光時間ΔＴ２を優先する理由は、一般的に後幕音の出力中に先幕音の出力が開始される場合、ユーザはコマ速よりもシャッター速度の方を気にすると考えられるからである。なぜなら、メカニカルシャッターよりも大きいコマ速の場合、単位時間当たりの撮像枚数は非常に多くなるためユーザはコマ速の正確な数を認識することは難しい。しかしシャッター速度は１回の撮像の露光時間を示すため、ユーザは１回のシャッター音を聞くだけでシャッター速度の正確な速さを認識できるからである。
【００３６】
また、連続撮影が終了した時点で後幕音が出力されていない場合、デジタルカメラ１００は連続撮影が終了した後に後幕音を出力する。言い換えると、連続撮影が終了した時点で最後に出力した音が先幕音の場合、デジタルカメラ１００は連続撮影が終了した後に後幕音を出力する。例えば、図５（Ｂ）に示すような場合、時刻Ｔｅ４に連続撮影を終了した場合でも、デジタルカメラ１００は時刻Ｔｂ３において後幕音を出力する。これにより、連続撮影を終了した前後にユーザは必ず後幕音を聞くため、ユーザはシャッター音に関して違和感の少ない撮影ができる。
【００３７】
このように、パターン３の場合、図５（Ｂ）に示すようにデジタルカメラ１００が動作することで、ユーザにとって違和感の少ない撮影を実現できる。また、ユーザはシャッター速度を実際の撮影となるべく同じ感覚で撮影できる。
【００３８】
図６（Ａ），（Ｂ）は電子シャッターによる連続撮影において、図３のパターン４における、撮像部１０２の撮像素子の露光面積およびシャッター音と時間との関係の一例を示す図である。図６（Ａ）に示すように、露光間隔ΔＴ１が先幕音の出力時間ΔＴａおよび後幕音の出力時間ΔＴｂの和がよりも小さい場合、先幕音の出力が終了する前に後幕音の出力するタイミングになり、さらに後幕音の出力が終了する前に先幕音の出力するタイミングになる。
【００３９】
そこでパターン４の場合、図６（Ｂ）に示すように、デジタルカメラ１００は先幕音と後幕音とを交互に出力する。この場合、先幕音を出力開始してから後幕音を出力するまでの時間ΔＴ４は露光間隔ΔＴ２になるべく近づけることが望ましい。これは、シャッター音の回数と、撮像回数とをなるべく一致させるためである。
【００４０】
ここで、露光間隔ΔＴ１に対するデジタルカメラ１００の先幕音を出力する時間間隔ΔＴ３の比率Ｉ（以下、間隔比Ｉという）は連続撮影中において一定にすることが望ましい。例えば連続撮影中においてデジタルカメラ１００は撮像した画像を作業用メモリ１０４に記録していくため、連続撮影している時間が長い場合、作業用メモリ１０４の空き容量は減少していく。作業用メモリ１０４の空き容量が減少した場合、デジタルカメラ１００はコマ速を減少させることがある。このとき、間隔比Ｉを一定にするために、図７（Ａ）に示すように、制御部１０１は後幕音の出力が終了してから先幕音の出力を開始するまでに遅延時間Ｄを挿入する。このように、デジタルカメラ１００は露光間隔ΔＴ１の変化に応じて先幕音を出力する時間間隔ΔＴ３が変化させることで、ユーザはコマ速等の連続撮影の設定が変化したことに気付くことができる。さらに間隔比Ｉが一定であれば、ユーザはより変化に気づきやすくなる。ただし、露光間隔ΔＴ１が所定の値以上に大きくなった場合、シャッター音がしばらく出力されないおそれがあるため、デジタルカメラ１００は先幕音を出力する時間間隔ΔＴ３に上限値を設定してもよい。またデジタルカメラ１００は先幕音を出力する時間間隔ΔＴ３が上限値に達した場合、警告を報知してもよい。
【００４１】
デジタルカメラ１００は間隔比Ｉをユーザの任意の値に設定できるようにしてもよい。例えばここで間隔比Ｉを２に設定した場合、図７（Ｂ）に示すように、２回の撮像ごとにシャッター音が１回出力される。このようにシャッター音の回数に間隔比Ｉを乗算すれば撮像回数を計算できるため、特に間隔比Ｉを２以上の整数にすると、ユーザは撮像回数を把握しやすくなる。ただし、間隔比Ｉが所定の値以上に大きくなった場合、先幕音を出力する時間間隔ΔＴ３が大きくなりすぎたことによりシャッター音がしばらく出力されないおそれがあるため、デジタルカメラ１００は間隔比Ｉに上限値を設定してもよい。この上限値はシャッター速度等の設定に応じて変化させてもよい。
【００４２】
図８は連続撮影において、デジタルカメラ１００が先幕音および後幕音の出力間隔を決定するフローチャートの一例である。この処理は、不揮発性メモリ１０３に記録されたソフトウェアを作業用メモリ１０４に展開して制御部１０１が実行することで実現する。またこの処理は、連続撮影モードにおいて、デジタルカメラ１００のＳＷ２を押下されたことをトリガに開始される。
【００４３】
ステップＳ８０１では、制御部１０１は連続撮影における設定を参照し、コマ速とシャッター速度とを読み込む。
【００４４】
ステップＳ８０２では、制御部１０１は露光間隔ΔＴ２と、先幕音の出力時間ΔＴａとの長さを比較する。ΔＴ２≧ΔＴａである場合、制御部１０１はステップＳ８０３に進む。ΔＴ２＜ΔＴａである場合、制御部１０１はステップＳ８０４に進む。
【００４５】
ステップＳ８０３では、制御部１０１は先幕音を出力開始してから後幕音を出力するまでの時間ΔＴ４を露光時間ΔＴ２以上となるように設定する。本実施形態では制御部１０１は先幕音を出力開始してから後幕音を出力するまでの時間ΔＴ４が露光時間ΔＴ２と等しくなるように設定する。
【００４６】
ステップＳ８０４では、制御部１０１は先幕音を出力開始してから後幕音を出力するまでの時間ΔＴ４を先幕音の出力時間ΔＴａ以上となるように設定する。本実施形態では、制御部１０１は先幕音を出力開始してから後幕音を出力するまでの時間ΔＴ４を先幕音の出力時間ΔＴａと等しくなるように設定する。
【００４７】
ステップＳ８０３またはステップＳ８０４の処理によって、デジタルカメラ１００は先幕音の出力中に後幕音を出力することはない。さらに、デジタルカメラ１００は先幕音を出力開始してから後幕音を出力するまでの時間をシャッター速度にできる限り近づけることができる。
【００４８】
ステップＳ８０５では、制御部１０１は露光間隔ΔＴ１と、先幕音を出力開始してから後幕音を出力するまでの時間ΔＴ４および後幕音の出力時間ΔＴｂの和とを比較する。ΔＴ１≧ΔＴ４＋ΔＴｂの場合、制御部１０１はステップＳ８０６に進む。ΔＴ１＜ΔＴ４＋ΔＴｂの場合、制御部１０１はステップＳ８０７に進む。
【００４９】
ステップＳ８０６では、制御部１０１は間隔比Ｉを１に設定する。
【００５０】
ステップＳ８０７では、制御部１０１はΔＴ１×Ｉ≧ΔＴ４＋ΔＴｂを満たすように、間隔比Ｉを設定する。例えば、制御部１０１はΔＴ１×Ｉ＝ΔＴ４＋ΔＴｂを満たす間隔比Ｉを計算し、間隔比Ｉをその計算した値以上となるように設定する。
【００５１】
ステップＳ８０８では、制御部１０１は先幕音を出力する時間間隔ΔＴ３を露光間隔ΔＴ１に間隔比Ｉを乗算した値に設定する。
【００５２】
ステップＳ８０９では、制御部１０１はシャッター速度またはコマ速を変化させるか否かを判定する。シャッター速度またはコマ速を変化させる場合、制御部１０１は連続撮影のシャッター速度またはコマ速を変化させ、ステップＳ８１０に進む。シャッター速度またはコマ速を変化させない場合、制御部１０１はステップＳ８１１に進む。
【００５３】
ステップＳ８１０では、制御部１０１はステップＳ８０９において変化させたシャッター速度またはコマ速に応じて、先幕音を出力する時間間隔ΔＴ３の値を変更する。例えばコマ速を減少させた場合、制御部１０１は先幕音を出力する時間間隔ΔＴ３を大きくする。
【００５４】
ステップＳ８１１では、制御部１０１は連続撮影を終了するための操作がなされたか否かを判定する。例えばＳＷ２が離された場合、制御部１０１は連続撮影を終了する。連続撮影を終了するための操作がなされていない場合、制御部１０１はステップＳ８０９に戻り、連続撮影を継続する。連続撮影を終了するための操作がされた場合、制御部１０１は処理を終了する。
【００５５】
ステップＳ８０７またはステップＳ８０８の処理によって、デジタルカメラ１００は後幕音の出力中に次の先幕音の出力を開始しないことができる。そのためユーザは連続撮影中に違和感の少ないシャッター音を聞くことができる。
【００５６】
以上、デジタルカメラ１００が先幕音および後幕音の出力間隔を決定する動作について説明した。このように先幕音および後幕音の出力する時間間隔を設定することで、メカニカルシャッターよりも早いシャッター速度または大きいコマ速による連続撮影でも、ユーザは違和感の少ないシャッター音を聞くことができる。
【００５７】
ここで連続撮影において間隔比Ｉが１よりも大きい場合、実際のコマ速に対して先幕音を出力する時間間隔ΔＴ３が長いため、シャッター音だけではユーザは撮影枚数がわからないことがある。そこで、デジタルカメラ１００は表示部１０６を用いて間隔比を報知してよい。例えば、図９に示すように、デジタルカメラ１００は表示部１０６上に間隔比Ｉの逆数９０１を表示する。これは実際のコマ速に対するシャッター音の数の割合を示す。またはデジタルカメラ１００は間隔比Ｉをそのまま表示してもよい。さらに、間隔比Ｉが１か１より大きいかによって、デジタルカメラ１００は先幕音または後幕音の音色等を変更することや、他の音を出力すること等でユーザに報知してもよい。これによってユーザはシャッター音がコマ速と等しいか否かを判定することができるため、連続撮影における撮影枚数を数えやすくなる。
【００５８】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００５９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図１】
2020088757.tif 000003
【図２】
2020088757.tif 000004
【図３】
2020088757.tif 000005
【図４】
2020088757.tif 000006
【図５】
2020088757.tif 000007
【図６】
2020088757.tif 000008
【図７】
2020088757.tif 000009
【図８】
2020088757.tif 000010
【図９】
2020088757.tif 000011